(57)【要約】【課題】  キャップのタンパーエビデンス性を高めることができ、かつ開栓トルクを低くすることができる金属製容器、閉止装置、および容器詰め飲料を提供する。【解決手段】  天板部２とその周縁から垂下した筒部３とを備え、筒部３が弱化ライン６によって主部８とＴＥリング部９とに区画された合成樹脂製キャップ１が装着される金属製容器であって、キャップ１が装着される口部２１に、キャップ１を開栓する際にＴＥリング部９が係止する膨出段部２３が外方に突出して形成され、膨出段部２３の下面２３ａの傾斜角度が３０°以下とされている。この傾斜角度を３０°以下とすることによって、キャップ１を開栓する際に、ＴＥリング部９が膨出段部２３に確実に係止し、ＴＥリング部９が主部８から確実に切り離される。従って、閉栓位置からブリッジが切断されるまでのキャップ１の回転角度（Ｂ.Ｂ.Ａ.）が小さくなり、タンパーエビデンス性が良好となる。【選択図】    図１
2006036255.tif 000002
【特許請求の範囲】
【請求項１】
天板部（２）とその周縁から垂下した筒部（３）とを備え、前記筒部が弱化ライン（６）によって主部（８）とタンパーエビデンスリング部（９）とに区画された合成樹脂製キャップ（１）が装着される金属製容器であって、
前記キャップが装着される口部（２１）に、前記キャップを開栓する際に前記タンパーエビデンスリング部が係止する膨出段部（２３）が外方に突出して形成され、
この膨出段部の下面（２３ａ）の傾斜角度（Ａ）は、３０°以下とされていることを特徴とする金属製容器（２０）。
【請求項２】
前記タンパーエビデンスリング部の内面に、前記キャップを開栓する際に前記膨出段部に係止してタンパーエビデンスリング部の移動を阻止する係止突起が設けられ、
この係止突起が、前記膨出段部の下面に係止するようになっていることを特徴とする請求項１に記載の金属製容器。
【請求項３】
前記膨出段部は、前記キャップを開栓する際に前記タンパーエビデンスリング部が係止する下板部（２９）と、この下板部の外縁から上方に湾曲して延出する湾曲部（３０）とを備え、
この湾曲部の断面曲率半径が１．５ｍｍ以下とされていることを特徴とする請求項１または２に記載の金属製容器。
【請求項４】
天板部（２）とその周縁から垂下した筒部（３）と天板部に形成された内側シール突起（１２）とを備え、前記筒部が弱化ライン（６）によって主部（８）とタンパーエビデンスリング部（９）とに区画された合成樹脂製キャップ（１）が装着される金属製容器であって、
前記キャップが装着される口部（２１）の開口端部（２４）の内面側に、上下方向に沿う内板部（２５）が設けられ、
この内板部は、内面（２５ａ）に前記内側シール突起が当接するようにされていることを特徴とする金属製容器（２０）。
【請求項５】
金属製容器と、その口部に装着される合成樹脂製キャップとを備えた閉止装置であって、
合成樹脂製キャップが、天板部とその周縁から垂下した筒部とを備え、前記筒部が弱化ラインによって主部とタンパーエビデンスリング部とに区画され、
金属製容器が、前記キャップが装着される口部に、前記キャップを開栓する際に前記タンパーエビデンスリング部が係止する膨出段部が外方に突出して形成され、
この膨出段部の下面の傾斜角度が、３０°以下とされていることを特徴とする閉止装置。
【請求項６】
金属製容器と、その口部に装着される合成樹脂製キャップとを備えた閉止装置であって、
合成樹脂製キャップが、天板部とその周縁から垂下した筒部と天板部に形成された内側シール突起とを備え、前記筒部が弱化ラインによって主部とタンパーエビデンスリング部とに区画され、
金属製容器が、前記キャップが装着される口部の開口端部の内面側に、上下方向に沿う内板部が設けられ、
この内板部は、内面に前記内側シール突起が当接するようにされていることを特徴とする閉止装置。
【請求項７】
飲料が充填された金属製容器と、その口部に装着される合成樹脂製キャップとを備えた容器詰め飲料であって、
合成樹脂製キャップが、天板部とその周縁から垂下した筒部とを備え、前記筒部が弱化ラインによって主部とタンパーエビデンスリング部とに区画され、
金属製容器が、前記キャップが装着される口部に、前記キャップを開栓する際に前記タンパーエビデンスリング部が係止する膨出段部が外方に突出して形成され、
この膨出段部の下面の傾斜角度が、３０°以下とされていることを特徴とする容器詰め飲料。
【請求項８】
飲料が充填された金属製容器と、その口部に装着される合成樹脂製キャップとを備えた容器詰め飲料であって、
合成樹脂製キャップが、天板部とその周縁から垂下した筒部と天板部に形成された内側シール突起とを備え、前記筒部が弱化ラインによって主部とタンパーエビデンスリング部とに区画され、
金属製容器が、前記キャップが装着される口部の開口端部の内面側に、上下方向に沿う内板部が設けられ、
この内板部は、内面に前記内側シール突起が当接するようにされていることを特徴とする容器詰め飲料。
【発明の詳細な説明】
【技術分野】
【０００１】
本発明は、飲料などが充填される金属製容器、これを用いた閉止装置、および容器詰め飲料に関する。
【背景技術】
【０００２】
従来、飲料などを充填する容器としては、アルミニウム、アルミニウム合金、スチールなどの金属からなるものがある（例えば、特許文献１を参照）。
図４は、従来の金属製容器と、その口部に装着されるキャップとを備えた閉止装置の一例を示すものである。
容器６０は、首部６５と、その上方に形成された口部６１とを備えている。口部６１は、雄ネジ６２と、その下方に形成された環状の膨出段部６３とを備えている。
【０００３】
キャップ４１は、天板部４２とその周縁から垂下した筒部４３とを備えた金属製のキャップ本体４４と、ライナー４５とを備えている。
筒部４３は、水平スコア４６によって、主部４８と、ブリッジ４７を介して主部４８の下端に連結されたタンパーエビデンスリング部４９（ＴＥリング部４９）とに区画されている。
筒部４３には、キャップ４１を容器口部６１に装着する際にネジ部５０が形成される。ネジ部５０は、雄ネジ６２に沿う形状となるように形成される。
ＴＥリング部４９の下部は、膨出段部６３に沿って内方に湾曲した裾部５１とされ、キャップ４１を開栓する際に膨出段部６３に係止するようになっている。
【０００４】
キャップ４１を容器口部６１に装着するには、以下の方法がとられる。
未成形のキャップを容器口部６１に被せ、天板部４２に下方への荷重（トップ荷重）を与えつつ、キャップ装着装置のネジ部形成ローラ（図示略）で筒部４３を内方に押圧することによって、雄ネジ６２に沿う形状のネジ部５０を形成する。
さらに、裾部形成ローラ（図示略）によってＴＥリング部４９の下部を内方に押圧し湾曲させ、裾部５１を形成する。
【０００５】
キャップ４１を開栓方向に回すと、キャップ４１が上昇し、ライナー４５が開口端部６４から離れ、容器６０の密封が解除される。
キャップ開栓の過程では、ＴＥリング部４９の裾部５１が膨出段部６３に係止することから、主部４８は回転に従って上昇する一方、ＴＥリング部４９は上方への移動が阻止される。
このため、ブリッジ４７に引張力が作用し、これらブリッジ４７が破断し、主部４８がＴＥリング部４９から切り離される。
【特許文献１】特開２００３−９４１３３号公報
【発明の開示】
【発明が解決しようとする課題】
【０００６】
この種の閉止装置にあっては、容器口部に装着されたキャップを閉栓位置から開栓方向に回す時、キャップのライナーが容器の開口端部から離れて密封が解除された位置までの回転角度（シールリリースアングル；以下、Ｓ.Ｒ.Ａ.という）と、閉栓位置からブリッジが切断されるまでの回転角度（ブリッジブレークアングル；以下Ｂ.Ｂ.Ａ.という）との差、すなわちＳ.Ｒ.Ａ.−Ｂ.Ｂ.Ａ.が大きいことが望ましい。例えば、容器の密閉が解除される前にブリッジが切断されることが望ましい。
しかしながら、上記閉止装置では、Ｓ.Ｒ.Ａ.が小さくなるため、Ｓ.Ｒ.Ａ.−Ｂ.Ｂ.Ａ.が小さくなる場合があり、タンパーエビデンス性の観点から改善が要望されていた。
また、金属製容器６０では、ガラスや合成樹脂からなる容器に比べ若干強度が劣るため、膨出段部６３の下面６３ａの傾斜角度が小さすぎる場合には、キャップ装着時に加えられるトップ荷重によって膨出段部６３が下方に座屈変形するおそれがある。
このため、膨出段部６３の変形を防ぐことを目的として、膨出段部６３の下面６３ａの傾斜角度は比較的大きく、例えば４０〜６０°に設定される。
しかしながら、下面６３ａの傾斜角度が大きいと、キャップ開栓時に裾部５１が膨出段部６３に係止しにくくなり、ＴＥリング部４９が主部４８から分離しにくくなるおそれがある。このため、タンパーエビデンス性の点で改善が要望されていた。
また、上記閉止装置では、キャップ４１を開栓する際の開栓トルクが大きい点も問題であった。
本発明は上記事情に鑑みてなされたもので、その目的は以下の通りである。
（１）キャップのタンパーエビデンス性を高めることができる金属製容器、閉止装置、および容器詰め飲料を提供する。
（２）開栓トルクを低くすることができる金属製容器、閉止装置、および容器詰め飲料を提供する。
【課題を解決するための手段】
【０００７】
本発明の金属製容器は、天板部とその周縁から垂下した筒部とを備え、前記筒部が弱化ラインによって主部とタンパーエビデンスリング部とに区画された合成樹脂製キャップが装着される金属製容器であって、前記キャップが装着される口部に、前記キャップを開栓する際に前記タンパーエビデンスリング部が係止する膨出段部が外方に突出して形成され、この膨出段部の下面の傾斜角度が、３０°以下とされていることを特徴とする。
本発明の金属製容器は、前記タンパーエビデンスリング部の内面に、前記キャップを開栓する際に前記膨出段部に係止してタンパーエビデンスリング部の移動を阻止する係止突起が設けられ、この係止突起が、前記膨出段部の下面に係止するようになっている構成とすることができる。
前記膨出段部は、前記キャップを開栓する際に前記タンパーエビデンスリング部が係止する下板部と、この下板部の外縁から上方に湾曲して延出する湾曲部とを備え、この湾曲部の断面曲率半径が１．５ｍｍ以下とされている構成とすることができる。
【０００８】
本発明の金属製容器は、天板部とその周縁から垂下した筒部と天板部に形成された内側シール突起とを備え、前記筒部が弱化ラインによって主部とタンパーエビデンスリング部とに区画された合成樹脂製キャップが装着される金属製容器であって、前記キャップが装着される口部の開口端部の内面側に、上下方向に沿う内板部が設けられ、この内板部が、内面に前記内側シール突起が当接するようにされていることを特徴とする。
【０００９】
本発明の閉止装置は、金属製容器と、その口部に装着される合成樹脂製キャップとを備えた閉止装置であって、合成樹脂製キャップが、天板部とその周縁から垂下した筒部とを備え、前記筒部が弱化ラインによって主部とタンパーエビデンスリング部とに区画され、金属製容器が、前記キャップが装着される口部に、前記キャップを開栓する際に前記タンパーエビデンスリング部が係止する膨出段部が外方に突出して形成され、この膨出段部の下面の傾斜角度が、３０°以下とされていることを特徴とする。
本発明の閉止装置は、金属製容器と、その口部に装着される合成樹脂製キャップとを備えた閉止装置であって、合成樹脂製キャップが、天板部とその周縁から垂下した筒部と天板部に形成された内側シール突起とを備え、前記筒部が弱化ラインによって主部とタンパーエビデンスリング部とに区画され、金属製容器が、前記キャップが装着される口部の開口端部の内面側に、上下方向に沿う内板部が設けられ、この内板部が、内面に前記内側シール突起が当接するようにされていることを特徴とする。
【００１０】
本発明の容器詰め飲料は、飲料が充填された金属製容器と、その口部に装着される合成樹脂製キャップとを備えた容器詰め飲料であって、合成樹脂製キャップが、天板部とその周縁から垂下した筒部とを備え、前記筒部が弱化ラインによって主部とタンパーエビデンスリング部とに区画され、金属製容器が、前記キャップが装着される口部に、前記キャップを開栓する際に前記タンパーエビデンスリング部が係止する膨出段部が外方に突出して形成され、この膨出段部の下面の傾斜角度が、３０°以下とされていることを特徴とする。
本発明の容器詰め飲料は、飲料が充填された金属製容器と、その口部に装着される合成樹脂製キャップとを備えた容器詰め飲料であって、合成樹脂製キャップが、天板部とその周縁から垂下した筒部と天板部に形成された内側シール突起とを備え、前記筒部が弱化ラインによって主部とタンパーエビデンスリング部とに区画され、金属製容器が、前記キャップが装着される口部の開口端部の内面側に、上下方向に沿う内板部が設けられ、この内板部が、内面に前記内側シール突起が当接するようにされていることを特徴とする。
【発明の効果】
【００１１】
本発明の金属製容器は、以下に示す効果を奏する。
（１）膨出段部の下面の傾斜角度が３０°以下とされているので、ＴＥリング部が膨出段部に確実に係止する。
よって、キャップ開栓の際に、ＴＥリング部が主部から確実に切り離される。
従って、閉栓位置からブリッジが切断されるまでのキャップの回転角度（Ｂ.Ｂ.Ａ.）が小さくなり、タンパーエビデンス性が良好となる。
（２）膨出段部の湾曲部の断面曲率半径が１．５ｍｍ以下とされているので、ＴＥリング部が膨出段部に確実に係止する。従って、タンパーエビデンス性が良好となる。
（３）容器口部の開口端部の内面側に、上下方向に沿う内板部を形成することによって、キャップを開栓する過程で、内側シール突起が内板部の内面に接している間は密封が維持される。
従って、密封解除を遅らせ、閉栓位置から密封解除までのキャップの回転角度（Ｓ.Ｒ.Ａ.）を大きくすることができ、タンパーエビデンス性を高めることができる。
（４）合成樹脂製キャップが用いられるので、金属製キャップを用いる場合に比べ、キャップ装着の際に容器およびキャップに大きなトップ荷重を加える必要がない。
従って、膨出段部の座屈変形が起こりにくい。
（５）合成樹脂製キャップが用いられるので、金属製キャップを用いる場合に比べ、容器とキャップとの間の摩擦を小さくすることができる。
従って、開栓トルクを低くすることができ、開栓を容易にすることができる。
【発明を実施するための最良の形態】
【００１２】
図１ないし図３は、本発明の閉止装置の一例を示すもので、この閉止装置は、金属製容器２０と、その口部２１に装着される合成樹脂製キャップ１とから構成されている。
合成樹脂製キャップ１は、天板部２とその周縁から垂下した筒部３とを有するキャップ本体４を備えている。
筒部３は、水平スコア６（弱化線）によって、主部８と、複数のブリッジ７によって主部８の下端に連結されたタンパーエビデンスリング部９（ＴＥリング部９）とに区画されている。
主部８の内面には、容器口部２１の雄ネジ２２に螺合するネジ部１０が形成されている。
ＴＥリング部９の内面には、キャップ１を開栓する際に容器口部２１の膨出段部２３に係止してＴＥリング部９の移動を阻止する係止突起であるタブ１１が設けられている。タブ１１は、起伏可能な板状に形成されている。
【００１３】
天板部２の内面２ａには、容器口部２１内に嵌入される環状の内側シール突起１２が、下方に向けて突出形成されている。
内側シール突起１２の先端部外面には、容器内面２１ａに当接する環状の当接凸部１２ａが形成されている。
内側シール突起１２は、容器口部２１内に嵌入した際に、当接凸部１２ａが開口端部２４の内面２５ａに隙間なく当接し、容器口部２１を密封できるように形成されている。
天板部２には、内側シール突起１２より外方に、開口端部２４の上面２６ａに当接する開口端シール突起１３と、開口端部２４の外面２７ａに当接する外側シール突起１４とが下方に向けて突出形成されている。
キャップ１を構成する合成樹脂材料としては、ポリプロピレンまたはポリエチレンを含む材料を挙げることができる。
【００１４】
金属製容器２０は、アルミニウム、アルミニウム合金、スチールなどの金属からなるものであり、筒状の首部２８と、その上方に形成された筒状の口部２１とを備えている。
容器口部２１には、キャップ１が螺着される雄ネジ２２が形成され、その下方には、キャップ１を開栓する際にＴＥリング部９が係止する膨出段部２３が形成されている。膨出段部２３は、外方に環状に突出する形状とされている。
【００１５】
図２に示すように、膨出段部２３は、上昇しつつ拡径方向に延出する下板部２９と、下板部２９の上縁から上方に湾曲して延出する湾曲部３０と、湾曲部３０の上縁から縮径しつつ上方に延出する上板部３１とを備えている。
下板部２９は、首部２８の上縁から斜め上方に断面略直線状に延出するように形成されている。
【００１６】
下板部２９の下面２３ａの傾斜角度Ａ（水平面（開口端部２４がなす面）に対する傾斜角度）は、３０°以下（好ましくは２０°以下）とされている。
傾斜角度Ａをこの範囲とすることによって、キャップ１を開栓する際にタブ１１が膨出段部２３に係止しやすくなる。
傾斜角度Ａは、５°以上とすると、金属製容器２０の成形が容易となるため好ましい。
なお、傾斜角度Ａは、下面２３ａの最大傾斜角度に相当する。
下板部２９の長さＢは、０．５〜２ｍｍとすることができる。
【００１７】
湾曲部３０は、断面略円弧状に形成されており、外面の断面曲率半径Ｒは、１．５ｍｍ以下（好ましくは１．０ｍｍ以下）とするのが好ましい。
この曲率半径Ｒをこの範囲とすることによって、キャップ１を開栓する際にタブ１１が膨出段部２３に係止しやすくなる。
曲率半径Ｒは、０．１ｍｍ以上とするのが好ましい。
【００１８】
図３に示すように、容器口部２１の開口端部２４は、上下方向（鉛直方向）に沿って延在する内板部２５と、内板部２５の上縁から略外方に延出する上板部２６と、上板部２６の外縁から下方に延出する外板部２７とを備えている。
内板部２５は、開口端部２４の内面側に位置し、断面略直線状とされ、その内面２５ａに内側シール突起１２の当接凸部１２ａが当接するようになっている。
キャップ１が容器口部２１に装着された状態（図３に示す状態。以下、閉栓位置という）では、当接凸部１２ａが内板部２５の下部に当接している。
内板部２５の長さＣは、０．５〜５ｍｍとすることができる。
【００１９】
上板部２６は略円弧状に形成され、その上面２６ａに開口端シール突起１３が当接するようになっている。
外板部２７は断面略直線状とされ、その外面２７ａに外側シール突起１４が当接するようになっている。
【００２０】
以下、閉止装置の使用方法を説明する。
図１ないし図３に示すように、内溶液を充填した容器２０の口部２１にキャップ１を装着することによって、内側シール突起１２は容器口部２１内に挿入される。
内側シール突起１２は、当接凸部１２ａで開口端部２４の内面２５ａの下部に当接し、この部分をシールする。これによって容器２０が密封される。
また、ＴＥリング部９に設けられたタブ１１は、環状の膨出段部２３を乗り越え、膨出段部２３の下方に達する。
【００２１】
容器口部２１に装着されたキャップ１を開栓方向に回すと、キャップ１が上昇する。
キャップ１の上昇に伴って内側シール突起１２も上昇し、当接凸部１２ａが内板部２５の内面２５ａに接しながら上昇する。
当接凸部１２ａが内板部２５の上縁に達するまで容器２０の密封が維持され、当接凸部１２ａが開口端部２４を離れた時点で容器２０の密封が解除される。
【００２２】
キャップ１の開栓過程においては、ＴＥリング部９に設けられたタブ１１の先端が、膨出段部２３の下面２３ａに当接する。
上述のように、下面２３ａの傾斜角度Ａは十分に小さくされているため、タブ１１の先端が下面２３ａに沿って滑って外方に移動することが起こりにくい。このため、タブ１１の先端は、膨出段部２３の下面２３ａに確実に係止する。
タブ１１が下面２３ａに係止するため、主部８は回転に従って上昇する一方、ＴＥリング部９は上方への移動が阻止される。その結果、キャップ１の主部８とＴＥリング部９とを連結しているブリッジ７に引張力が作用し、ブリッジ７が破断され、ＴＥリング部９が主部８から切り離される。
このＴＥリング部９の切り離しによって、キャップ１が開栓されたことが明示される。
【００２３】
上記金属製容器２０は、次の効果を奏する。
（１）膨出段部２３の下面２３ａの傾斜角度Ａが３０°以下とされているので、タブ１１が下面２３ａに沿って滑って外方に移動することが起こりにくい。このため、タブ１１が膨出段部２３に確実に係止する。
よって、キャップ１の開栓の際に、ＴＥリング部９が主部８から確実に切り離される。従って、閉栓位置からブリッジが切断されるまでのキャップ１の回転角度（Ｂ.Ｂ.Ａ.）が小さくなり、タンパーエビデンス性が良好となる。
（２）膨出段部２３の湾曲部３０の断面曲率半径が１．５ｍｍ以下とされているので、下板部２９の長さＢが十分に確保される。
このため、タブ１１が湾曲部３０に沿って滑って外方に移動することが起こりにくい。
よって、タブ１１が膨出段部２３に確実に係止する。従って、タンパーエビデンス性が良好となる。
（３）容器口部２１の開口端部２４の内面側に、上下方向に沿う内板部２５が形成されているので、キャップ１を開栓する過程で、内側シール突起１２の当接凸部１２ａが内板部２５の内面２５ａに接している間は密封が維持される。
従って、密封解除を遅らせ、閉栓位置から密封解除までのキャップ１の回転角度（Ｓ.Ｒ.Ａ.）を大きくすることができ、タンパーエビデンス性を高めることができる。
（４）金属製容器２０には、合成樹脂製キャップ１が用いられるので、金属製キャップを用いる場合に比べ、キャップ装着の際に容器およびキャップに大きなトップ荷重を加える必要がない。
従って、傾斜角度Ａが小さいにもかかわらず、膨出段部２３の座屈変形が起こりにくい。
（５）金属製容器２０には、合成樹脂製キャップ１が用いられるので、金属製キャップを用いる場合に比べ、容器２０とキャップ１との間の摩擦を小さくすることができる。
従って、開栓トルクを低くすることができ、開栓を容易にすることができる。
【００２４】
上記閉止装置は、果汁飲料、茶飲料、コーヒー飲料、炭酸飲料等の飲料を容器２０に充填し、口部２１にキャップ１を装着することによって、飲料が充填された容器詰め飲料とすることができる。
【図面の簡単な説明】
【００２５】
【図１】本発明の金属製容器の一例と、その口部に装着されるキャップとを備えた閉止装置を示す断面図である。
【図２】図１に示す閉止装置の要部を示す断面図である。
【図３】図１に示す閉止装置の要部を示す断面図である。
【図４】従来の金属製容器の一例と、その口部に装着されるキャップとを備えた閉止装置を示す一部断面図である。
【符号の説明】
【００２６】
１・・・合成樹脂製キャップ、
２・・・天板部、
３・・・筒部、
６・・・水平スコア（弱化ライン）、
８・・・主部、
９・・・ＴＥリング部（タンパーエビデンスリング部）、
１２・・・内側シール突起、
２０・・・金属製容器、
２１・・・容器口部、
２３・・・膨出段部、
２３ａ・・・下面、
２４・・・開口端部、
２５・・・内板部、
２５ａ・・・内面、
２９・・・下板部、
３０・・・湾曲部
【図１】
2006036255.tif 000003
【図２】
2006036255.tif 000004
【図３】
2006036255.tif 000005
【図４】
2006036255.tif 000006